(57)【要約】【課題】切断能力を低下させずにソフトタッチを実現するとともに、切る際に大きな力を必要とする物でも切りやすい鋏を提供する。【解決手段】一対の鋏片１１，１２は、軸部１３を中心に回動可能に連結されている。各鋏片１１，１２の一端側にはそれぞれ指掛環１７，１８が備えられ、他端側にはそれぞれ刃部が備えられている。両指掛環１７，１８の互いに対向する対向部２７，２８と反対側に、指を挿入可能な空間２９，３０を備えた状態で、指掛環１７，１８の内側には板ばね２１，２２が配置されている。板ばね２１，２２は、軸部１３に近い側の端部２１ａ，２２ａで指掛環１７，１８に片持ち支持され、対向部２７，２８に沿って延びている。【選択図】      図１
2004159681.tif 000002
【特許請求の範囲】
【請求項１】
一対の鋏片を、軸部を中心に回動可能に連結し、前記各鋏片の一端側にそれぞれ指掛環を備え、他端側にそれぞれ刃部を備えた鋏であって、前記両指掛環の互いに対向する対向部と反対側に、指を挿入可能な空間を備えた状態で、前記指掛環の内側に弾性体を配置したことを特徴とする鋏。
【請求項２】
前記弾性体は板ばねであり、前記対向部に沿って延びるように配設されていることを特徴とする請求項１に記載の鋏。
【請求項３】
前記指掛環と前記弾性体とが一体成形されていることを特徴とする請求項１又は請求項２に記載の鋏。
【発明の詳細な説明】
【０００１】
【発明の属する技術分野】
本発明は、鋏に関するものである。
【０００２】
【従来の技術】
鋏の指掛環は樹脂で形成されるものが多くなっている。指掛環が樹脂製であることによって、指掛環が金属製である場合よりはソフトな感触が得られるが、近年ではさらなるソフトタッチ感が要望されている。ソフトタッチを実現させる構成として、例えば指掛環を柔軟な部材やばねで形成することが考えられる。
【０００３】
また、従来の鋏では、切る際に大きな力が必要な物、例えば厚紙や、紙１０枚程度の紙束等を切る場合には、大きな力を指から指掛環に加えることによって刃部に力が伝えられ、被切断物が切断されるようになっている。
【０００４】
【発明が解決しようとする課題】
ところが、指掛環を柔軟な部材やばねで形成すると、指から指掛環に加えられる力が指掛環で吸収されて刃部に力が伝わりにくくなり、物を切断できないという問題がある。
【０００５】
また、従来の鋏では、切る際に大きな力が必要な物を切る場合には、指掛環に大きな力を一度にかつ直接的に加える必要がある。このため、老人、子ども、女性のように、一度に大きな力を出すのが苦手な人の場合、切る際に大きな力が必要な物を従来の鋏で切断することは困難で手間がかかる作業となっている。
【０００６】
また、上記問題点を解決する先行技術文献を探したが、出願人が探した限りでは見つからなかった。
本発明は上記問題点に鑑みてなされたものであって、その目的は、切断能力を低下させずにソフトタッチを実現するとともに、切る際に大きな力を必要とする物でも切りやすい鋏を提供することにある。
【０００７】
【課題を解決するための手段】
前記の目的を達成するために、請求項１に記載の発明は、一対の鋏片を、軸部を中心に回動可能に連結し、前記各鋏片の一端側にそれぞれ指掛環を備え、他端側にそれぞれ刃部を備えた鋏であって、前記両指掛環の互いに対向する対向部と反対側に、指を挿入可能な空間を備えた状態で、前記指掛環の内側に弾性体を配置したことを要旨とする。
【０００８】
この発明によれば、被切断物を切断しようとして鋏片を閉じる際に、被切断物が切断に大きな力を必要とする物である場合、鋏片が被切断物から抵抗を受けて、指から加えられる力によって弾性体が変形し、弾性体にエネルギーが蓄えられる。さらに指から弾性体に力が加えられると、弾性体の変形量が増加し、弾性体に蓄えられるエネルギーが大きくなるとともに、弾性体の復元力によって弾性体から鋏片に伝えられる力が大きくなる。そして、刃部に伝えられる力が被切断物の切断に必要な大きさになると、被切断物が切断される。
【０００９】
従って、切断に必要な力を加えるうえで、力を徐々に加えて弾性体を変形させて弾性体にエネルギーを蓄えることによって、刃部に大きな力を伝えることができる。また、弾性体が変形することによりソフトタッチ感が得られるため、切断能力を低下させずにソフトタッチを実現するとともに、切る際に大きな力を必要とする物でも切りやすい。
【００１０】
請求項２に記載の発明は、請求項１に記載の発明において、前記弾性体は板ばねであり、前記対向部に沿って延びるように配設されていることを要旨とする。この発明によれば、弾性体が板ばねであることにより、容易に請求項１に記載の発明の弾性体を形成できる。
【００１１】
請求項３に記載の発明は、請求項１又は請求項２に記載の発明において、前記指掛環と前記弾性体とが一体成形されていることを要旨とする。この発明によれば、指掛環と弾性体とを別体に形成する場合に比べて、少ない工程で鋏を形成できる。
【００１２】
【発明の実施の形態】
以下、本発明を具体化した一実施の形態を図１及び図２に従って説明する。
図１は鋏の模式正面図である。
【００１３】
図１に示すように、鋏１０は、一対の鋏片１１，１２を備えている。両鋏片１１，１２は、軸部１３を中心に回動可能に連結されている。鋏片１１，１２にはそれぞれ刃部１５，１６（刃部１６は図２に図示）が形成され、軸部１３に対して刃部１５，１６と反対側にはそれぞれ指掛環１７，１８が取り付けられている。鋏片１１，１２は金属製で、指掛環１７，１８は樹脂製である。
【００１４】
指掛環１７，１８には弾性体としての板ばね２１，２２が設けられている。板ばね２１，２２はそれぞれ指掛環１７，１８の内側に配置されている。板ばね２１，２２は、指掛環１７，１８の軸部１３に近い部分２３，２４側から、軸部１３から遠い部分２５，２６側に向かって延びるように配置されている。板ばね２１，２２によって区画される指掛環１７，１８の内側の空間のうち、両指掛環１７，１８の互いに対向する対向部２７，２８と反対側の空間２９，３０は、指を挿入可能な大きさになっている。
【００１５】
板ばね２１，２２は、軸部１３に近い側の端部２１ａ，２２ａだけが指掛環１７，１８に支持されている。即ち、板ばね２１，２２は、指掛環１７，１８の軸部１３に近い部分２３，２４で指掛環１７，１８に片持ち支持された状態になっており、板ばね２１，２２の軸部１３から遠い側の端部２１ｂ，２２ｂは指掛環１７，１８に支持されず自由端になっており、宙に浮いている。
【００１６】
板ばね２１，２２は細長い平板状（短冊状）である。板ばね２１，２２は、板厚方向が、鋏片１１，１２の軸部１３に対する回動方向と同じになるように設けられており、前記回動方向に撓むことが可能になっている。板ばね２１，２２は、鋏片１１，１２の厚さ方向で指掛環１７，１８の範囲内になるように形成されている。また、板ばね２１，２２と、指掛環１７，１８の対向部２７，２８との間隔は、板ばね２１，２２が撓み変形可能なように所定の大きさになるように形成されている。
【００１７】
この実施の形態では板ばね２１，２２は樹脂製である。そして、板ばね２１，２２は指掛環１７，１８とは異なる樹脂で形成されている。板ばね２１，２２の端部２１ａ，２２ａは、図示しない取付用の樹脂により指掛環１７，１８に後付けで取付けられている。
【００１８】
次に、上記のように構成された鋏１０の作用を説明する。
図２に示すように、ここでは、鋏１０によって切断する被切断物３１が、切る際に大きな力が必要な物、例えば厚紙や、紙１０枚程度の紙束等である場合について説明する。被切断物３１を切断する際には、普通の鋏と同じように指掛環１７，１８に指を入れ、鋏片１１，１２を開閉させる。指は、前記空間２９，３０に支障なく入れられる。例えば、指掛環１７に親指を入れ、指掛環１８に人差し指と中指とを入れる。
【００１９】
刃部１５，１６が被切断物３１に当たると、ここでは被切断物３１が切断に大きな力を必要とすることにより、被切断物３１は直ぐには切れず、鋏片１１，１２は被切断物３１から抵抗を受けて閉動作が止まる。このため、板ばね２１，２２は、端部２１ａ，２２ａを支点にして撓む。板ばね２１，２２が撓み変形することにより、板ばね２１，２２にはエネルギーが蓄えられる。
【００２０】
さらに指から板ばね２１，２２に力が加えられ、板ばね２１，２２の撓み量が増加すると、板ばね２１，２２に蓄えられるエネルギーが大きくなるとともに、板ばね２１，２２の復元力（スプリングバック）により板ばね２１，２２から鋏片１１，１２に伝えられる力が大きくなる。そして、刃部１５，１６に伝えられる力が被切断物３１の切断に必要な大きさになると、刃部１５，１６によって被切断物３１が切断される。このようにして被切断物３１の切断を完了する。
【００２１】
なお、被切断物３１が例えば一枚の紙のように切る際に大きな力を加えなくて済む場合、被切断物３１は鋏１０によって普通に切断される。この場合、板ばね２１，２２の撓み量が小さく、目測では板ばね２１，２２がほとんど撓まない状態で、被切断物３１は切断される。
【００２２】
この実施の形態によれば、以下のような効果を有する。
（１）  鋏１０の指掛環１７，１８には、弾性体（板ばね２１，２２）が設けられている。このため、切断に必要な力を指から加えるうえで、弾性体を変形させることによって力を徐々に加えて弾性体にエネルギーを蓄えて、刃部１５，１６での切断のための大きな力を得ることができる。よって、従来の鋏のように、切断に必要な力を指から一度に指掛環１７，１８に伝える必要がある場合に比べて、鋏１０は、力を徐々に加えることによって、切る際に大きな力が必要な物でも切断できる。従って、一度に大きな力を出しにくい老人、子ども、女性等でも、切る際に大きな力が必要な物を切断しやすい。
【００２３】
（２）  鋏片１１，１２を閉じる際に指が当たる箇所が弾性体（板ばね２１，２２）である。弾性体がクッションのように作用し、鋏１０は上記（１）に記載のような切断能力を備えるため、切断能力を低下させずにソフトタッチ感を得ることができる。
【００２４】
（３）  指掛環１７，１８に備えられた弾性体が板ばね２１，２２であるため、弾性体を容易に形成できる。
（４）  板ばね２１，２２は短冊状であって簡単な形状であるため、作製が簡単である。
【００２５】
（５）  板ばね２１，２２は指掛環１７，１８に後付けされている。従って、既存の指掛環１７，１８の型によって指掛環１７，１８を形成した後に、板ばね２１，２２を取付けることができるため、鋏１０の製造に既存の指掛環１７，１８の型を利用できる。
【００２６】
（６）  板ばね２１，２２があることにより、刃部１５，１６による切断の際、板ばね２１，２２に蓄えられたエネルギーが幾分か解放されて刃部１５，１６に力が伝えられるため、指から指掛環１７，１８に加える力を軽減できる。
【００２７】
なお、実施の形態は上記実施の形態に限定されるものではなく、例えば以下のように変更してもよい。
・  板ばね２１，２２は、指掛環１７，１８の軸部１３から遠い部分２５，２６に設けてもよい。例えば図３（ａ）に示すように、板ばね２１，２２は、軸部１３から遠い側の端部２１ｂ，２２ｂを指掛環１７，１８に設け、軸部１３に近い側の端部２１ａ，２２ａを自由端にする。この場合、てこの支点が軸部１３で、作用点が刃部１５，１６の被切断物３１との接点である鋏片１１，１２において、力点が板ばね２１，２２の軸部１３から遠い側の端部２１ｂ，２２ｂとなる。よって、この構成では、従来の鋏のように板ばね２１，２２がなくて指が指掛環１７，１８の対向部２７，２８において力を加える箇所が力点になる場合に比べて、支点（軸部１３）と力点との距離が長くなる。従って、この構成では、てこの作用により、指から板ばね２１，２２を介して指掛環１７，１８に加えられるべき力が、従来の鋏や上記実施の形態の場合より小さく済み、切る際に大きな力が必要な物をより切断しやすくなる。なお、図３（ａ）では指掛環１７及び板ばね２１のみ図示するが、指掛環１８及び板ばね２２でも同様の構成にしている。
【００２８】
・  図３（ｂ）に示すように、板ばね２１，２２は、その両端部（端部２１ａ，２２ａ及び端部２１ｂ，２２ｂ）を指掛環１７，１８に設けてもよい。
・  指掛環１７，１８には、板ばね２１，２２の各端部２１ａ，２２ａ，２１ｂ，２２ｂをそれぞれ挟持する挟持部を形成し、板ばね２１，２２は、挟持部による挟持により指掛環１７，１８に取付けてもよい。例えば図３（ｂ）に示すように、指掛環１７，１８の軸部１３に近い側の部分２３，２４と、遠い側の部分２５，２６とには挟持部３５が形成され、板ばね２１，２２は、挟持部３５によって各端部２１ａ，２２ａ，２１ｂ，２２ｂが挟持されて指掛環１７，１８に取付けられている。
【００２９】
・  板ばね２１，２２の指掛環１７，１８への取付けは、指掛環１７，１８に切れ目を形成し、その切れ目に板ばね２１，２２の端部を入れることによって行なってもよい。
【００３０】
・  板ばねの材料を指掛環１７，１８と同じ樹脂にし、板ばねと指掛環１７，１８とを一体成形してもよい。この場合、指掛環１７，１８と板ばねとを別体に形成して、板ばねを指掛環１７，１８に後付けする場合に比べて、少ない工程で鋏１０を形成できる。例えば、ブラスチックにより板ばねと指掛環１７，１８とを同時成形する。
【００３１】
・  板ばねは金属製でもよい。
・  板ばねは平板状でなくてもよく、例えば曲がっていてもよい。例えば図３（ｃ）に示すように、板ばね３７は、軸部１３に近い側の端部３７ａにおいて指掛環１７の軸部１３に近い側の部分２３に片持ち支持された状態で、板ばね３７の軸部１３から遠い側の端部３７ｂが、対向部２７に向かって曲がっている。
【００３２】
・  板ばねは屈曲した状態になるように形成してもよい。例えば図３（ｄ）に示すように、板ばね３８は、その屈曲部３８ａが、指掛環１７の軸部１３から遠い部分２５の近くに配置され、板ばね３８の一端部３８ｂが、指掛環１７の対向部２７の軸部１３側に設けられている。
【００３３】
・  上記のように板ばねを屈曲した状態に形成する場合、屈曲部３８ａを軸部１３側に配置し、指掛環１７に設けられる一端部３８ｂを軸部１３から遠くに配置してもよい。
【００３４】
・  板ばねは、その両端部を折り曲げ状に形成してもよい。例えば図３（ｅ）に示すように、板ばね３９は、その両端部３９ａ，３９ｂが折り曲げ形成されて指掛環１７の対向部２７に設けられている。
【００３５】
・  板ばねは、指掛環１７，１８において対向部２７，２８側で支持される構成に限らず、例えば、指掛環１７，１８の対向部２７，２８と反対側で支持してもよい。例えば図３（ｆ）に示すように、板ばね４０は、その一端部４０ａが指掛環１７の対向部２７と反対側に設けられている。板ばね４０は略Ｌ字状に形成され、折れ曲がった箇所が軸部１３に近い側に配置されている。
【００３６】
・  上記のように板ばねを指掛環１７，１８の対向部２７，２８と反対側で支持する場合、板ばねの折れ曲がった箇所が軸部１３から遠い側に配置されるように構成してもよい。また、板ばねの両端が指掛環１７，１８に支持されるように構成してもよい。
【００３７】
・  指掛環に設けられる弾性体は板ばねに限らず、例えばコイルばねであってもよい。例えば図３（ｇ）に示すように、指掛環１７の内側に弾性体としてのコイルばね４１を配置する。コイルばね４１は対向部２７に取付ける。例えばコイルばね４１には、指からコイルばね４１に力を加えやすいように板部材４２を取付ける。
【００３８】
・  上記のようにコイルばね４１を取付ける場合において、コイルばね４１は複数個取付けてもよい。
・  指掛環に備えられる弾性体は、板ばねやコイルばねに限らない。例えば弾性体は棒状のばねであってもよい。また、弾性体はゴムであってもよい。
【００３９】
上記各実施の形態から把握できる技術的思想（発明）について、以下に追記する。
（１）  請求項２に記載の発明において、前記板ばねは前記指掛環に片持ち支持されている。
【００４０】
（２）  前記技術的思想（１）に記載の発明において、前記板ばねは、前記指掛環の前記軸部から遠い側の部分に支持されている。
【００４１】
【発明の効果】
以上詳述したように、請求項１〜請求項３に記載の発明によれば、切断能力を低下させずにソフトタッチを実現するとともに、切る際に大きな力を必要とする物でも切りやすい。
【図面の簡単な説明】
【図１】鋏の模式正面図。
【図２】作用を示す模式正面図。
【図３】（ａ）〜（ｇ）はそれぞれ別例の部分模式図。
【符号の説明】
１０…鋏、１１，１２…鋏片、１３…軸部、１５，１６…刃部、１７，１８…指掛環、２１，２２，３７，３８，３９，４０…弾性体としての板ばね、２７，２８…指掛環の対向部、２９，３０…指を挿入可能な空間、４１…弾性体としてのコイルばね。
【図１】
2004159681.tif 000003
【図２】
2004159681.tif 000004
【図３】
2004159681.tif 000005